(57)【要約】【課題】釣人の身体にジャストフィットし、急流中でも安定して着用できる釣用ジャケットの提供。【解決手段】この釣用ジャケット１０は、右前身頃２０、左前身頃２１、後身頃１７、肩袖部２３、２４、固定帯１２を備える。これらは、弾性に富む複合生地からなる。固定帯１２は、後身頃１７の下端に連続して形成されている。固定帯１２は、釣人の股に掛け回され、右前身頃２０及び左前身頃２１に面ファスナー１９を介して固定される。固定帯１２側にフックテープ４３が設けられ、右前身頃２０及び左前身頃２１にループテープ４４、４５が設けられている。フックテープ４３は、ループテープ４４、４５と重なり合う領域内の任意の位置で固定され得る。【選択図】図３
2009247238.tif 000002
【特許請求の範囲】
【請求項１】
釣人が実釣において着用する釣用ジャケットであって、
釣人の上半身の前面右側を覆う右前身頃及び前面左側を覆う左前身頃と、
右前身頃及び左前身頃との間に設けられ、両者を接続し得る開閉ファスナーと、
釣人の上半身の後面を覆う後身頃と、
右前身頃及び左前身頃と後身頃との間に配置され、釣人の両肩及び両腕を覆う一対の肩袖部と、
後身頃の下縁中央に連続し、釣人の股に掛け回されて右前身頃及び左前身頃の内面に固定され得る固定帯部と、
固定帯部を上記内面の一定の領域の任意の位置に着脱自在に連結する連結部材とを備え、
上記右前身頃、左前身頃、後身頃、肩袖部及び固定帯部は、クロロプレンゴム及びジャージーが重ね合わされた複合生地から構成されている釣用ジャケット。
【請求項２】
上記固定帯部は、釣人の臀部を覆う基部と、基部に連続して釣人の股を覆う股部と、股部に連続して釣人の尿生殖部を覆う先端部とを有し、
股部の幅寸法は、基部側から漸次縮小された後に再び拡大されており、
上記連結部材は、先端部と右前身頃及び左前身頃との間に介在された面ファスナーからなる請求項１に記載の釣用ジャケット。
【請求項３】
上記面ファスナーは、
上記先端部に設けられた係合テープと、
上記右前身頃の下端角部の内側及び上記左前身頃の下端角部の内側に設けられた被係合テープとを有する請求項２に記載の釣用ジャケット。
【発明の詳細な説明】
【技術分野】
【０００１】
本発明は、釣り（特に鮎釣り）の際に使用されるジャケットの構造に関するものである。
【背景技術】
【０００２】
鮎釣りの分野において「友釣り」と称される釣法がある。友釣りは、縄張りを持つ鮎の習性を利用する釣りである。一般に鮎は、自己の縄張りに他の鮎が侵入したときは、当該他の鮎にアタックして縄張りから追い出す習性を持っている。釣人は、掛針が取り付けられた鮎（オトリ鮎）を釣竿を用いて操作し、意図的にターゲットとなる鮎の縄張りに侵入させる。オトリ鮎がターゲットとなる鮎の縄張りに侵入すると、ターゲットとなる鮎がオトリ鮎にアタックして掛針に引っ掛かる。釣人は、釣竿を操作して、オトリ鮎と共にヒットした鮎を取り込む。
【０００３】
友釣りでは、釣人は、ターゲットとなる鮎のポイントを探って釣場を移動する。したがって、浅瀬がポイントとなる場合もあれば、釣人の胸が浸かるほどの深く荒い瀬がポイントなる場合もある。深く荒い瀬がポイントとなる場合、釣人は、流水抵抗が低減されるタイツ及びジャケットを着用する（例えば、非特許文献１参照）。このようなタイツやジャケットは釣人の身体にフィットする。そのため、釣人が急流中に立った場合であっても、タイツやジャケットが安定し、安全な釣りをすることができる。
【０００４】
【非特許文献１】２００７  ダイワ釣用品総合カタログ  ｐ172、ｐ173
【発明の開示】
【発明が解決しようとする課題】
【０００５】
急流中では、特にジャケットの裾は、釣人の身体に確実にフィットする必要がある。そのため、従来のジャケットでは、裾の後部が帯状（ビーバーの尻尾状）に形成されており、当該帯状部分が釣人の股を覆って裾の前部に固定されるようになっている（非特許文献１参照）。この帯状部分の先端に雄型金具が設けられており、この雄型金具が裾の前部に設けられた雌方金具と係合することにより、上記帯状部分が固定されるようになっている。
【０００６】
しかし、上記帯状部分が雄型金具と雌方金具との係合により固定される構造では、釣人の体格に応じて上記帯状部分の固定位置を調整することは不可能である。そのため、ジャケットを着用した場合にジャストフィット感が得られにくいという問題があった。もっとも、この問題は、多種類のサイズのジャケットが用意されれば解決されることであるが、これでは、ジャケットの製造コストが大幅に上昇するという新たな問題が発生する。
【０００７】
そこで、本発明の目的は、体格にかかわらず釣人にジャストフィットし、急流中でも安定して着用できる釣用ジャケットを提供することである。
【課題を解決するための手段】
【０００８】
(1) 上記目的が達成されるため、本発明に係る釣用ジャケットは、釣人が実釣において着用する釣用ジャケットであって、釣人の上半身の前面右側を覆う右前身頃及び前面左側を覆う左前身頃と、右前身頃及び左前身頃との間に設けられ、両者を接続し得る開閉ファスナーと、釣人の上半身の後面を覆う後身頃と、右前身頃及び左前身頃と後身頃との間に配置され、釣人の両肩及び両腕を覆う一対の肩袖部と、後身頃の下縁中央に連続し、釣人の股に掛け回されて右前身頃及び左前身頃の内面に固定され得る固定帯部と、固定帯部を上記内面の一定の領域の任意の位置に着脱自在に連結する連結部材とを備える。そして、上記右前身頃、左前身頃、後身頃、肩袖部及び固定帯部は、クロロプレンゴム及びジャージーが重ね合わされた複合生地から構成されている。
【０００９】
たとえば鮎釣りにおいて、釣人は実釣に際してこの釣用ジャケットを着用する。釣人は、両腕を肩袖部に通し、開閉ファスナーを閉じる。これにより、右前身頃と左前身頃とが接続され、右前身頃及び左前身頃が釣人の上半身の前面を多うと共に後身頃が釣人の後面（すなわち背中）を覆い、さらに、肩袖部が釣人の両腕及び肩を覆う。右前身頃、左前身頃、後身頃及び肩袖部はクロロプレンゴム及びジャージーが重ね合わされた複合生地から構成されているから弾性に富む。したがって、右前身頃、左前身頃、後身頃及び肩袖部は釣人の身体にフィットする。
【００１０】
釣人は、固定帯部を引っ張って股に巻き掛け、連結部材を介して右前身頃及び左前身頃の内面に固定する。固定帯部もクロロプレンゴム及びジャージーが重ね合わされた複合生地から構成されているから弾性に富む。すなわち、固定帯部は、弾性的に伸ばされて右前身頃及び左前身頃の内面に固定される。このとき、固定帯部の弾性収縮力が右前身頃、左前身頃及び後身頃をさらに釣人の身体にフィットさせる。しかも、固定帯部は、右前身頃及び左前身頃の内面の一定の領域内であれば、釣人の所望の位置に固定され得る。したがって、釣人の体格にかかわらず、右前身頃、左前身頃、後身頃及び肩袖部は釣人の身体にフィットする。
【００１１】
(2) 上記固定帯部は、釣人の臀部を覆う基部と、基部に連続して釣人の股を覆う股部と、股部に連続して釣人の尿生殖部を覆う先端部とを有して構成され得る。股部の幅寸法は、基部側から漸次縮小された後に再び拡大されているのが好ましい。上記連結部材は、先端部と右前身頃及び左前身頃との間に介在された面ファスナーから構成され得る。
【００１２】
この構成では、固定帯部の基部が釣人の臀部を覆い、股部が釣人の股を覆い、先端部が釣人の尿生殖部を覆う。しかも、股部の幅寸法は、基部側から漸次縮小された後に再び先端部に向かって拡大されているから、固定帯部が釣人の臀部、股及び尿生殖部に確実にフィットする。また、基部及び先端部の幅寸法は、股部の幅寸法よりも大きいから、固定帯部が固定されることにより、右前身頃、左前身頃、後身頃及び肩袖部は、釣人の身体に一層フィットする。
【００１３】
(3) 上記面ファスナーは、上記先端部に設けられた係合テープと、上記右前身頃の下端角部の内側及び上記左前身頃の下端角部の内側に設けられた被係合テープとを有して構成され得る。
【００１４】
この構成では、固定帯部は、弾性的に引っ張られた後、先端部の係合テープが右前身頃の下端角部の内側及び左前身頃の下端角部の内側に設けられた被係合テープに係合される。係合テープ及び被係合テープは一定の面積を有しているから、固定帯部の固定位置は、釣人の体格に合わせてきわめて簡単に調整され得る。
【発明の効果】
【００１５】
本発明によれば、弾性的に伸縮する固定帯部によって右前身頃、左前身頃、後身頃及び肩袖部が釣人の身体にフィットするので、当該釣用ジャケットは、釣人体格にかかわらず釣人の身体にジャストフィットする。その結果、たとえば鮎釣りにおいて釣人が深くて荒い瀬に入った場合であっても、釣用ジャケットは安定して着用され得る。
【発明を実施するための最良の形態】
【００１６】
以下、適宜図面が参照されつつ、好ましい実施形態に基づいて本発明が詳細に説明される。
【００１７】
図１は、本発明の一実施形態に係る釣用ジャケットの斜視図である。同図は、釣人がこの釣用ジャケットを着用した状態を示している。
【００１８】
本実施形態に係る釣用ジャケット１０は、典型的には鮎釣り（特に友釣り）の際に使用される。友釣りでは、釣人は川の中に入るため、釣用ジャケット１０のほかにタイツ１１も着用する。本実施形態に係る釣用ジャケット１０の特徴とするところは、釣用ジャケット１０が後に詳述される固定帯１２（固定帯部）を備えている点であり、これにより、釣用ジャケット１０は、釣人の体格にかかわらず当該釣人の身体にジャストフィットし、安全で快適な釣りができるようになっている点である。
【００１９】
図２は、上記タイツ１１の斜視図である。同図は、釣人がこのタイツ１１を着用した状態を示している。
【００２０】
友釣りの実釣では、釣人は、タイツ１１を着用し（図２参照）、その上に釣用ジャケット１０を着用する（図１参照）。図２が示すように、タイツ１１は、釣人の下半身を覆うように構成されている。このタイツ１１は既知の構造であって、前面にファスナー１３が設けられている。釣人は、これを上下にスライドさせることによってタイツ１１の着脱が容易になる。また、本実施形態では、タイツ１１は、シューズ１４を一体的に備えている。シューズ１４は、底部に滑止部材１５を備えている。したがって、釣人は、河原を容易かつ安全に歩行することができる。
【００２１】
図３は、釣用ジャケット１０の要部拡大正面図である。
【００２２】
同図及び図１が示すように、釣用ジャケット１０は、前身頃１６、後身頃１７、一対の肩袖部２３、２４、上記固定帯１２及び当該固定帯１２を前身頃１６に着脱自在に連結する面ファスナー１９（連結部材）とを備えている。前身頃１６は、右前身頃２０及び左前身頃２１と、これらを図１が示す状態に接続するファスナー２２（開閉ファスナー）とを備えている。
【００２３】
図４は、左前身頃２１の拡大断面図である。同図において下側が釣用ジャケット１０の内側に対応し、上側が釣用ジャケット１０の外側に対応する。
【００２４】
左前身頃２１並びに右前身頃２０、肩袖部２２、２３、後身頃１７及び固定帯１２は、弾性に富む複合生地から構成されている。具体的には図４が示すように、この複合生地は、クロロプレンゴムシート２９とジャージー３０とを備えている。ジャージー３０は、クロロプレンゴムシート２９の内側面３１に貼着されている。ジャージー２９は、例えばナイロンからなる。ジャージー２９は、接着剤等により上記内側面３１の全体を覆うように固定されている。なお、同図は左前身頃２１の断面構造を示すが、右前身頃２０、肩袖部２２、２３、後身頃１７及び固定帯１２も同様の構造である。
【００２５】
前身頃１６は、釣人の上半身の前面を覆う。より詳細には、釣人が釣用ジャケット１０を着用した状態で、右前身頃２０が釣人の上半身の前面右側を覆い、左前身頃２１が釣人の上半身の前面左側を覆う。上記ファスナー２２は既知の構造を有し、一対のジッパーテープ３２、３３と、スライダ３４とを備えている。スライダ３４は、タブ３５を備えており、釣人がタブ３５をスライドさせることにより、ジッパーテープ３２、３３が接続または離反するようになっている。
【００２６】
図１及び図３が示すように、本実施形態では、ジッパーテープ３２は左前身頃２１の前縁部３６に取り付けられ、ジッパーテープ３３は右前身頃２０の前縁部３７に取り付けられている。タブ３５が上方にスライドされることにより、一対のジッパーテープ３２、３３が連結され、これにより、右前身頃２０と左前身頃２１とが釣人の身体の前面中央において突き合わされるように接続される（図１参照）。また、タブ３５が下方へスライドされることにより、一対のジッパーテープ３２、３３の連結が解除され、前身頃１６が開放される（図３参照）。
【００２７】
本実施形態では、左前身頃２１の前縁部３６に前立て３８が設けられている。この前立て３８は、右前身頃２０と左前身頃２１とが突き合わされた状態で、右前身頃２０の内側に配置される。これにより、ファスナー２２が閉じられたときに（図１参照）、右前身頃２０と左前身頃２１との突き合わせ状態が安定する。もっとも、この前立て３８は省略されていてもよい。
【００２８】
図３が示すように、後身頃１７は、釣人の上半身の後面、すなわち背中を覆う。同図に図示されていないが、後身頃１７は、釣人の脇腹に対応する部位にて右前身頃２０及び左前身頃２１と縫い付けられている。後身頃１７も上記複合生地からなり、図４が示す構造と同様の構造を備えている。すなわち、後身頃１７の内面（釣人の身体に触れる面）にジャージーが配置され、このジャージーの外側にクロロプレンゴムシートが配置されている。そして、ジャージーとクロロプレンゴムシートとが接着剤により貼り付けられている。
【００２９】
肩袖部２３は、右前身頃２０と後身頃１７との間に配置され、両者と縫い合わされている。肩袖部２３は、筒状に形成されている。釣人が当該釣用ジャケット１０を着用することによって、肩袖部２３は、釣人の右肩及び右腕を覆う。また、肩袖部２４は、肩袖部２３と左右対称形状に形成されている。すなわち、肩袖部２４は、左前身頃２１と後身頃１７との間に配置され、両者と縫い合わされている。肩袖部２４も筒状に形成されており、釣人が当該釣用ジャケット１０を着用することによって、肩袖部２４は、釣人の左肩及び左腕を覆う。なお、肩袖部２３、２４も上記複合生地からなり、図４が示す構造と同様の構造を備えている。すなわち、肩袖部２３、２４の内面（釣人の身体に触れる面）にジャージーが配置され、このジャージーの外側にクロロプレンゴムシートが配置されている。そして、ジャージーとクロロプレンゴムシートとが接着剤により貼り付けられている。
【００３０】
本実施形態では、右前身頃２０及び左前身頃２１、肩袖部２３、２４並びに後身頃１７を連結するように襟部３９が設けられている。この襟部３９は、帯状の部材が環状に形成されることにより構成されている。襟部３９は、右前身頃２０及び左前身頃２１、肩袖部２３、２４並びに後身頃１７に連続して上方に起立しており、当該釣用ジャケット１０を着用した釣人の首周りを保護する。この襟部３９も上記複合生地からなり、図４が示す構造と同様の構造を備えている。すなわち、襟部３９の内面（釣人の身体に触れる面）にジャージーが配置され、このジャージーの外側にクロロプレンゴムシートが配置されている。そして、ジャージーとクロロプレンゴムシートとが接着剤により貼り付けられている。
【００３１】
図３が示すように、上記固定帯１２は、後身頃１７と一体的に形成されている。固定帯１２は、略分銅形に形成されている。固定帯１２は、後身頃１７に連続する基部４０と、基部４０に連続する股部４１と、股部４１に連続する先端部４２とを有する。固定帯１２の幅寸法ｄは、股部４１において最小となり、股部４１の両側に向かって漸次大きくなっている。すなわち、当該幅寸法ｄは、基部４０から股部４１に向かって漸次小さくなり、その後、股部４１から先端部４２に向かって漸次大きくなっている。基部４０は、釣人の臀部を覆う。股部４１は、釣人の会陰部から股の部分を覆う。さらに先端部４２は、釣人の尿生殖部を覆う（図１参照）。
【００３２】
この固定帯１２は後身頃１７と一体的に形成されていることから、固定帯１２も上記複合生地からなり、図４が示す構造と同様の構造を備えている。すなわち、固定帯１２の内面（釣人の身体に触れる面）にジャージーが配置され、このジャージーの外側にクロロプレンゴムシートが配置されている。そして、ジャージーとクロロプレンゴムシートとが接着剤により貼り付けられている。
【００３３】
図３が示すように、上記面ファスナー１９は、固定帯１２を前身頃１６に着脱自在に連結する。面ファスナー１９は、フックテープ４３とループテープ４４、４５とを備えている。フックテープ４３は、固定帯１２の先端部４２に設けられている。本実施形態では、フックテープ４３は、先端部４２の外側の略全面に配置されている。他方、ループテープ４４は、右前身頃２０の下端角部４６の内側に設けられている。ループテープ４４は、略扇形に形成されており、上記下端角部４６の一定領域を覆っている。ループテープ４５は、ループテープ４４と左右対称形状に形成されている。ループテープ４５は、左前身頃２１の下端角部４７の内側に設けられている。ループテープ４５も略扇形に形成されており、上記下端角部４７の一定領域を覆っている。
【００３４】
フックテープ４３がループテープ４４、４５と接触することにより、両者が所定の接着力で接着される。これにより、固定帯１２が右前身頃２０及び左前身頃２１に固定される。この接着力に抗してフックテープ４３が引っ張られると、フックテープ４３はループテープ４４、４５から離反する。これにより、固定帯１２が前身頃１６から外れる。本実施形態では、前述のように、フックテープ４３が上記先端部４２の外側の略全面に配置されており、しかも、ループテープ４４、４５は、それぞれ、右前身頃２０及び左前身頃２１の下端角部４６、４７の一定の領域を覆っている。したがって、ループテープ４４、４５に対するフックテープ４３の接着位置は、上記一定の領域の任意の位置に設定され得る。このように、フックテープ４３の接着位置が調整され得ることによる作用効果については、後述される。
【００３５】
本実施形態に係る釣用ジャケット１０は、実釣において次のように使用される。
【００３６】
釣人は、友釣りの実釣に際して釣用ジャケット１０を着用する。友釣りでは、釣人は瀬に入るため、タイツ（図２参照）を着用する。さらに、釣人は、深い瀬に入る場合には、釣用ジャケット１０を着用する。釣人は、まず両腕を肩袖部２３、２４に通し、そして、右前身頃２０及び左前身頃２１を身体の前面中央で付き合わせた後にファスナー２２を閉める。具体的には、釣人はタブ３５（図１参照）を摘んで上方へ移動させる。これにより、右前身頃２０と左前身頃２１とが接続され、右前身頃２０及び左前身頃２１が釣人の上半身の前面を多う。同時に、後身頃１７が釣人の背中を覆い、さらに、肩袖部２３、２４が釣人の両腕及び肩を覆う。
【００３７】
本実施形態では、右前身頃２０、左前身頃２１、後身頃１７及び肩袖部２３、２４は上記複合生地から構成されているから弾性に富む。したがって、右前身頃２０、左前身頃２１、後身頃１７及び肩袖部２３、２４は釣人の上半身にフィットし、上記タイツを押さえる。この状態で、後身頃１７に設けられた固定帯１２は、垂下している。釣人は、固定帯１２を手に取り、引っ張って股に巻き掛ける。そして、釣人は、上記面ファスナー１９を介して固定帯１２の先端部４２を右前身頃２０及び左前身頃２１に固定する。
【００３８】
図５は、釣用ジャケット１０の腰部拡大正面図である。同図は、固定帯１２が前身頃１６に固定された状態を示している。
【００３９】
釣人は、釣用ジャケットを羽織った状態で固定帯１２を引っ張って股に掛け回す。釣人は、固定帯１２の先端部４２に設けられたフックテープ４３（図３参照）を右前身頃２０及び左前身頃２１の内側に儲けられたループテープ４４、４５に接触させて固定する（図５参照）。
【００４０】
前述のように、固定帯１２もクロロプレンゴム及びジャージーが重ね合わされた複合生地から構成されているから弾性に富む。そのため、固定帯１２は、弾性的に引き伸ばされて右前身頃２０及び左前身頃２１に固定される。したがって、右前身頃２０、左前身頃２１及び後身頃１７は、固定帯１２の弾性収縮力によってさらに釣人の身体にフィットすることになる。しかも、釣人は、上記ループテープ４４、４５に対してフックテープ４３を一定の領域内において任意に位置に接着させることができる。すなわち、上記固定帯１２の弾性収縮力は、釣人が自由に調整することができる。その結果、釣人の体格にかかわらず、右前身頃２０、左前身頃２１、後身頃１７及び肩袖部２３、２４が釣人の身体にジャストフィットし、たとえ釣人が深くて荒い瀬に入った場合であっても、流水中で釣用ジャケット１０が不安定に揺動することが防止される。
【００４１】
特に本実施形態では、前述のように固定帯１２が分銅形に形成されているから、固定帯１２が釣人の臀部、股及び尿生殖部に確実にフィットする。また、固定帯１２の基部４０及び先端部４２の幅寸法は、股部４１の幅寸法ｄよりも大きいから、固定帯１２が前身頃１６に固定されることにより、右前身頃２０、左前身頃２１、後身頃１７及び肩袖部２３、２４は、釣人の身体に一層確実にフィットするという利点がある。
【００４２】
また、本実施形態では、固定帯１２は面ファスナー１９によって前身頃２０に固定されるから、前身頃１６に対する固定帯１２の接着位置の調整がきわめて簡単である。したがって、釣人の体格に合わせて固定帯１２が迅速且つ正確に固定されるという利点がある。
【産業上の利用可能性】
【００４３】
本発明は、釣り、特に鮎釣りの際に使用される釣用ジャケットに適用され得る。
【図面の簡単な説明】
【００４４】
【図１】図１は、本発明の一実施形態に係る釣用ジャケットの斜視図である。
【図２】図２は、釣人が着用するタイツの斜視図である。
【図３】図３は、本発明の一実施形態に係る釣用ジャケットの要部拡大正面図である。
【図４】図４は、本発明の一実施形態に係る釣用ジャケットの左前身頃の拡大断面図である。
【図５】図５は、本発明の一実施形態に係る釣用ジャケットの腰部拡大正面図である。
【符号の説明】
【００４５】
１０・・・釣用ジャケット
１２・・・固定帯
１６・・・前身頃
１７・・・後身頃
１９・・・面ファスナー
２０・・・右前身頃
２１・・・左前身頃
２２・・・ファスナー
２３・・・肩袖部
２４・・・肩袖部
２９・・・クロロプレンゴムシート
３０・・・ジャージー
４０・・・基部
４１・・・股部
４２・・・先端部
４３・・・フックテープ
４４・・・ループテープ
４５・・・ループテープ
４６・・・下端角部
４７・・・下端角部
【図１】
2009247238.tif 000003
【図２】
2009247238.tif 000004
【図３】
2009247238.tif 000005
【図４】
2009247238.tif 000006
【図５】
2009247238.tif 000007